(57)【特許請求の範囲】
【請求項１】
制御器の制御によって供給される電源の供給を受けて振動する振動子を備えたマッサージ器において、
振動する方向が互いに直交をなすように設置された２つの振動子を含み、制御器は、２つの振動子に供給される電源を順次に制御するが、振動の順序を腸運動方向の順に前記振動子を振動させ、
前記振動子はそれぞれ、偏心された回転軸を有する半円形の柱状の偏心振動体と、前記偏心振動体の回転軸を回転させるモータからなり、
２つの振動子のうちの１つは左右方向に打撃し、２つの振動子のうちのもう１つは上下方向に打撃し、
前記制御器は、腸運動方向と同じ時計方向に打撃するように、前記振動子を制御する
マッサージ器。
【請求項２】
前記振動子が背面に設置された支持板の前面には、スキンフォームによって固定される多数の導子をさらに備える請求項１に記載のマッサージ器。
【請求項３】
前記支持板とスキンフォームとの間には、発熱板がさらに設置される請求項２に記載のマッサージ器。
【請求項４】
マッサージ器の両端部には、手で把持しやすいようにハンドルホールがさらに形成される請求項３に記載のマッサージ器。
【請求項５】
マッサージ器の両端の側壁には、着用ベルトが着脱されるベルト固定ホールがさらに形成される請求項３に記載のマッサージ器。
【発明の詳細な説明】
【技術分野】
【０００１】
本発明は、振動子を備えたマッサージ器に関するものであって、具体的には、垂直交差設置された振動子を備えたマッサージ器に関する。
【背景技術】
【０００２】
マッサージ（Ｍａｓｓａｇｅ）は、皮膚や身体の一部に物理的な刺激を与えることにより、当該の部分の生体を活性化させて病気を治療するか、または健康を増進させる物理療法の１つであり、通常、手や所定の器具で体の当該の部位を加圧して血管または反応点を刺激することにより、血液の循環を促進させ、凝った筋肉をほぐしたり、脂肪をほぐしてダイエットの効果がある。
【０００３】
これらのマッサージは、ほとんど手の力を用いて行われているが、最近は、マッサージ器が多く開発され、マッサージ器を用いたマッサージが多く行われている。
【０００４】
これらのマッサージ器は、規模や使用方法に応じて様々なものがあり、これらのマッサージ器のうち、小型でユーザーが使いやすい携帯型マッサージ器がある。
【０００５】
小型マッサージ器は、ユーザーが望む部位に接触した状態で駆動させることによって、当該部分だけを集中的にマッサージするものであって、これと係る技術には、様々なものがあり、その例として特許文献１ないし４がある。
【０００６】
特許文献１は、支持部材と、支持部材の前面の中央に位置し、制御スイッチと指圧ギアアセンブリを含む制御部と、支持部材の後面の中央に位置する温熱指圧部と、制御部の両側に位置する一対の振動部と、を含み、温熱指圧部は、多数の温熱ボールと、温熱ボールの温度を制御する温熱ボールプリント回路板と、温熱ボールを駆動させるための第１および第２温熱回路のプリント回路板と、を含み、一対の振動部は、モータと、モータの上部に安着する第１振動ギアと、第１振動ギアとタイミングベルトで接続され、振動カムを駆動させる第２振動ギアと、第２振動ギアの上部と振動カムの下部に位置する防振ラバーと、を含む。
【０００７】
特許文献２は、２枚以上の布や人工皮革などを人体の腰と腹部の部位を十分にくるむことができる程度の幅と長さを有するように裁断し、まわりを裁縫いしたベルト本体と、ベルト本体の両端部に裁縫い固定され、ベルトを腰および腹部の部位に装着した際に、加圧力を与える弾力バンドと、弾力バンドの端部の一側面にそれぞれ裁縫いされてベルト自体が人体の腰および腹部の部位をくるんだ状態を維持させる接着バンドで構成された医療用ベルトにおいて、ベルト本体の内部で横方向に複数の超音波振動子を間隔を置いて配置するが、複数の超音波振動子は、ベルト本体の外側に設置された制御部によって順次またはランダムに一定時間間隔を置いて作動するようにし、超音波の温熱および振動作用を通じる腹部などに存在する脂肪を分解させ、腹部等の肥満を抑制でき、また血行の流れを促進させ、新陳代謝を円滑にすることができる。
【０００８】
特許文献３は、ユーザーの腹部に接する装着部が形成されるベルトと、ベルトの内側面に低周波を発生させる多数の低周波刺激導子と、低周波刺激導子の下端にそれぞれの低周波刺激導子を囲む熱伝導ワッシャーが設けられ、多数の低周波刺激導子と前記低周波刺激導子に対応する熱伝導ワッシャーが装着されたプリント回路板と、ベルトの内側面を介して温熱刺激のために設けられた発熱体と、発熱体から生成された温熱を印刷回路基板を介して温度が伝導されるように設けられた熱伝導パネル印刷回路基板の後面に、中央に振動刺激のために装着された振動モータと、振動モータの外部をくるむ振動モータカバーと、低周波刺激導子と発熱体と振動モータを制御するコントローラーと、コントローラーを介して制御された信号が前記ベルトに伝達される出力ラインで構成される。
【０００９】
特許文献４は、マイコンによって駆動される収縮−突出指圧棒を有する便秘治療および腹部ダイエット器具において、円板状の本体と、本体の左右に延長されて腹部に密着させ、腰に結束させ、接着結束部が備えられた腰ベルトと、前面に形成された前面本体部と、前面本体部の背面に設置された背面本体部で構成された本体で構成され、前面本体部は、上部に形成された液晶パネル部と、液晶パネル部の下部に設置された多数のプログラム操作ボタンと、多数のプログラム操作ボタンの下部の一側に設置された電源スイッチと、プログラム操作ボタンの一側面に設置され、電源を供給するＡＣ／ＤＣ変換アダプター挿入口で構成され、背面本体部は、ソレノイド原理によって作動する振動素子を備えた９つの収縮−突出指圧棒と、収縮−突出指圧棒の間に＋字状に設置された温熱線を含んで構成される。
【００１０】
これらの従来のマッサージ器は、多数の振動子を備え、振動子の振動方向を調節できる機能を備えたものがあるが、振動方向が内外または前後方向に限定されており、腹部をマッサージする場合、振動子の振動が腸の働きを妨害したり、あまり役に立たないという問題がある。
【先行技術文献】
【特許文献】
【００１１】
【特許文献１】韓国公開特許第１０−２０１２−００５２５６３号公報（公開日：２０１２．０５．２４）
【特許文献２】韓国公開特許第１０−２００１−０１０５１３４号公報（公開日：２００１．１１．２８）
【特許文献３】韓国公開特許第１０−２００５−００９４９３５号公報（公開日：２００５．０９．２９）
【特許文献４】韓国公開特許第１０−２００９−００９８１１２号公報（公開日：２００９．０９．１７）
【発明の概要】
【発明が解決しようとする課題】
【００１２】
本発明は、前述のように従来技術の問題点を解決するために開発されたものであって、振動子の振動順序が腸運動を妨げず、助けるようにすることを目的とする。
【課題を解決するための手段】
【００１３】
これらの目的を達成するための本発明による振動子を備えたマッサージ器の１つの実施例は、制御器の制御によって供給される電源の供給を受けて振動する振動子を備えたマッサージ器において、振動する方向が互いに直交をなすように設置された２つの振動子を含み、制御器は、２つの振動子に供給される電源を順次に制御するが、振動の順序を腸運動方向の順に振動させることを特徴とする。
【００１４】
前記振動子は、偏心された回転軸を有する半円形の柱状の偏心振動体と、前記偏心振動体の回転軸を回転させるモータからなり得る。
【００１５】
前記振動子が背面に設置された支持板の前面には、スキンフォームによって固定される多数の導子をさらに備え得る。
【００１６】
前記支持板とスキンフォームとの間には、発熱板がさらに設置され得る。
【００１７】
前記マッサージ器の両端部には、手で把持しやすいようにハンドルホールをさらに形成し得る。
【００１８】
前記マッサージ器の両端の側壁には、着用ベルトが着脱されるベルト固定ホールをさらに形成し得る。
【００１９】
これらの目的を達成するための本発明による振動子を備えたマッサージ器の他の実施例は、制御器の制御によって供給される電源の供給を受けて振動する振動子を備えたマッサージ器において、振動する方向が互いに６０度をなすように設置された３つの振動子を含み、制御器は、３つの振動子に供給される電源を順次に制御するが、振動の順序を腸運動方向の順に振動させることを特徴とする。
【発明の効果】
【００２０】
本発明によるマッサージ器は、振動順序が腸運動方向に順次に行われることにより、マッサージ器の使用によって腸運動も活性化させる効果がある。
【図面の簡単な説明】
【００２１】
【図１】本発明による垂直交差設置された振動子を備えたマッサージ器の一例の斜視図。
【図２】本発明による垂直交差設置された振動子を備えたマッサージ器の一例の分解斜視図。
【図３】本発明による垂直交差設置された振動子を備えたマッサージ器を構成する振動子の設置部分の斜視図。
【図４】本発明による垂直交差設置された振動子を備えたマッサージ器の振動子の配置状態の平面図。
【図５】本発明によるマッサージ器に設置された偏心振動体の斜視図。
【図６】本発明による垂直交差設置された振動子を備えたマッサージ器の他の一例の斜視図。
【発明を実施するための形態】
【００２２】
本発明は、様々な変更を加え得、様々な実施例を有し得るところ、特定の実施例を図面に例示し、具体的に説明しようとする。しかし、これは本発明を特定の実施形態について限定するものではなく、本発明の思想および技術の範囲に含まれるすべての変更、均等物ないし代替物を含むものと理解されるべきである。
【００２３】
各図面を説明しながら、類似の参照符号を類似の構成要素について使用した。本発明を説明するにおいて、係る公知技術についての具体的な説明が本発明の要旨を曖昧にしうると判断される場合は、その詳細な説明を省略する。
【００２４】
本発明は、振動子の振動順序を腸運動方向に合わせて振動させることにより、腸運動を促進し得る。
【００２５】
本発明によるマッサージ器は、２つの振動子１０を互いに垂直に配置し、互いに異なる方向に打撃（振動）を加え得る。すなわち、２つを互いに垂直に配置すると、１つは左右方向に、他の１つは上下方向に打撃し得る。このとき、４つの打撃（上下左右の打撃）の順序を制御すると、打撃の順序（振動の順序）を腸運動方向（ユーザーの前方から見たとき、時計方向）に作動させ得る。
【００２６】
前記振動子１０の制御は、制御器（図示せず）によって行われ得、制御器は、振動子１０に供給される電源を制御して振動子の振動順序を制御できる。
【００２７】
これらの本発明のマッサージ器は、通常のマッサージ器と同じように、制御器（図示せず）によって振動子１０に供給される電源を制御して振動子の振動順序を制御でき、振動子１０の配置は、支持板２０の背面に設置されるが、図３および図４に示すように、互いに垂直に交差するように設置される。
【００２８】
前記振動子１０は、多様に変形して実施し得るが、好ましい一例は、図３および図５に示すように、偏心された回転軸１１ｓを有する半円形の柱状の偏心振動体１１と、前記偏心振動体の回転軸を回転させるモータ１２で構成する。
【００２９】
前記偏心振動体１１は、図５に拡大して示すように、半円形の柱状をなし、回転軸が一側に偏心されるように形成され、モータの回転力によって回転するときに回転軸から偏心した位置の偏心振動体が支持板２０の背面に力を加えて振動を起こす。
【００３０】
これらの振動子１０を構成するモータ１２の動力を偏心振動体１１に伝達するために、前記偏心振動体１１の一側の端部とモータ軸には、それぞれプーリー１１ｐが設置され、プーリーの間には、ベルト１１ｖが設置される。
【００３１】
勿論、偏心振動体１１の回転軸１１ｓを回転可能に支持できるように軸受け１１ｂが偏心振動体の両端をそれぞれ支持する。
【００３２】
前記偏心振動体１１は、左右回転を繰り返すように、またはある一方向に回転するようにすることができるが、好ましい回転方向は、ユーザーに加わる打撃（振動）の順序の方向が腸運動方向（消化器官の運動方向）と同じ方向になるように回転するものである。
【００３３】
本発明は、振動子の振動順序を腸運動方向に合わせて振動させることにより、腸運動を促進し得る。
【００３４】
本発明のマッサージ器は、通常のマッサージ器と同じように、様々な機能をさらに備え得る。
【００３５】
本発明のマッサージ器に温熱機能を追加すると、腸運動がより活発になって効果が倍になる。
【００３６】
このような機能を実現するための手段として、導子４０と、発熱板５０を備える。
【００３７】
前記導子４０は、振動子の振動がより効果的に人体に加えられるようにするための手段として、図１、図２および図６に示すように、マッサージ器の外部に向けた端部が球形をなし、熱伝導率に優れる材質で作られる。
【００３８】
前記導子４０は、前記振動子１０が設置される支持板２０の前面に内側の端部が面接するように設置されるため、振動子の振動が支持板を介して導子に伝達される。
【００３９】
前記導子４０と支持板２０との間には、前記発熱板５０がさらに設置される。
【００４０】
前記発熱板５０は、熱を発生させてマッサージされている人体の部分が温まることによってマッサージ効果を高めるためのものであって、図２に示すように、熱線がジグザグまたはメアンダー（Ｍｅａｎｄｅｒ）形に蛇行するように配列して作られ、支持板２０の前面に固定される。前記熱線は、アルミニウム発熱体、カーボン不織布、コットン網紗発熱体、炭素繊維発熱体などで代替され得る。
【００４１】
前記発熱板５０の前面に前記導子が直接に接触するように導子を設置することによって発熱板の熱が導子を介して人体に供給されるようにし、このように導子の内側の端部が発熱板に密着するように支持する支持手段としてスキンフォーム３０が設置される。
【００４２】
本発明のスキンフォーム３０は、インテグラルスキンフォーム（Ｉｎｔｅｇｒａｌ  Ｓｋｉｎ  Ｆｏａｍ）のように弾力性がある材質からなる。しかし、インテグラルスキンフォーム以外の弾力性がある材質（例えば、ゴムなど）で代替され得、このときは、スキンフォーム３０を緩衝固定部と呼び得る。
【００４３】
また、本発明のマッサージ器は、ユーザーが手で直接把持した状態で使用でき、またはユーザーの身体に装着した状態で使用できる。
【００４４】
マッサージ器を手で把持した状態で使用するためには、図１に示すように、マッサージ器の両端に手で把持できるようにハンドルホール８０を形成し、装着した状態で使用するためには、図６に示すように、マッサージ器の両端の側壁には、着用ベルトＶが着脱されるベルト固定ホール９０を形成し得る。
【００４５】
ユーザーの選択によって把持するか、または着用できるように前記ハンドルホール８０とベルト固定ホール９０をすべて形成することも可能である。また、ハンドルホール８０とベルト固定ホール９０をすべて削除する形態として具現し得る。
【００４６】
前述のように構成されたマッサージ器は、支持板２０の背面に背面カバーを着脱可能に設置し、支持板の背面に設置される振動子１０および振動子駆動回路を容易に設置するようにし、支持板の端にスキンフォーム３０を固定した後に、支持枠７０を設置してスキンフォームと支持板の結合部分を覆うことができるようにした。
【００４７】
前記実施例では、振動する方向が互いに９０度をなすように設置された２つの振動子を含むが、振動する方向が互いに６０度をなすように設置された３つの振動子を含み得る。
【００４８】
このときは、４つの方向ではなく、６つの方向に打撃（振動）を加え得るが、このときも、制御器を介して振動子に供給される電源を順次に制御し、振動の順序を腸運動方向の順に振動させ得る。
【００４９】
また、振動する方向が互いに４５度をなすように設置された４つの振動子を含み得る。
【００５０】
このような組立て構造は、多様に変形して実施し得、これについての具体的な説明は省略する。
【図１】
0006924329.tif 000002
【図２】
0006924329.tif 000003
【図３】
0006924329.tif 000004
【図４】
0006924329.tif 000005
【図５】
0006924329.tif 000006
【図６】
0006924329.tif 000007